(57)【要約】【課題】  時計バンドを時計ケースへ取り付けるために、ハンドルを横倒した場合に、ハンドルにクリック感がなく、ハンドルが充分に横倒されているか分かりづらい。また、取付部材を時計バンドに埋め込んだ場合に、時計バンドの厚みがあるため、ハンドルを充分に横倒することができない。【解決手段】  時計バンド１のエンドピース２に埋め込まれる台座本体２０と、ハンドル部３１を有する棒ピン３０とを備える。台座本体２０には、ハンドル部３１を回動可能に保持しながら、支持軸端部３４，３７を突出させる左右一対の保持部２１，２３を備え、一方の保持部２３の側辺２４は傾斜しながら、起立するハンドル部３１を係止する上部屈曲部２５を備えるとともに、横倒するハンドル部を係止する下部屈曲部２６を備える。また、台座本体２０には段差２７を設け、反保持部側２８を一段低くした。【選択図】  図１
0003101592.tif 000002
【実用新案登録請求の範囲】
【請求項１】
時計ケースに時計バンドを取り付けるためのバンド取付部材であって、
時計バンドのエンドピースに埋め込まれる台座本体と、
時計バンドのエンドピースに設けられた窓孔から露出する略Ｕ字形に湾曲したハンドル部を有する棒ピンとを備え、
台座本体には、棒ピンのハンドル部両始端から左右へ直線状に延びる支持軸を握持して、ハンドル部を回動可能に保持しながら、支持軸端部を突出させる左右一対の保持部を備え、
少なくとも左右どちらか一方の保持部が、棒ピンのハンドル部と接する側辺を支持軸端部側へ傾斜させながら、当該側辺は、台座本体に対して起立するハンドル部を収縮状態で係止する上部屈曲部を備えるとともに、台座本体に対して横倒するハンドル部を伸長状態で係止する下部屈曲部を備えることを特徴とするバンド取付部材。
【請求項２】
時計ケースに時計バンドを取り付けるためのバンド取付部材であって、
時計バンドのエンドピースに埋め込まれる台座本体と、
時計バンドのエンドピースに設けられた窓孔から露出する略Ｕ字形に湾曲したハンドル部を有する棒ピンとを備え、
台座本体には、棒ピンのハンドル部両始端から左右へ直線状に延びる支持軸を握持して、ハンドル部を回動可能に保持しながら、支持軸端部を突出させる左右一対の保持部を備え、
少なくとも左右どちらか一方の保持部が、棒ピンのハンドル部と接する側辺を支持軸端部側へ傾斜させるとともに、
台座本体に段差を設け、台座本体の反保持部側を一段低くしたことを特徴とするバンド取付部材。
【請求項３】
時計ケースに時計バンドを取り付けるためのバンド取付部材であって、
時計バンドのエンドピースに埋め込まれる台座本体と、
時計バンドのエンドピースに設けられた窓孔から露出する略Ｕ字形に湾曲したハンドル部を有する棒ピンとを備え、
台座本体には、棒ピンのハンドル部両始端から左右へ直線状に延びる支持軸を握持して、ハンドル部を回動可能に保持しながら、支持軸端部を突出させる左右一対の保持部を備え、
少なくとも左右どちらか一方の保持部が、棒ピンのハンドル部と接する側辺を支持軸端部側へ傾斜させながら、当該側辺は、台座本体に対して起立するハンドル部を収縮状態で係止する上部屈曲部を備えるとともに、台座本体に対して横倒するハンドル部を伸長状態で係止する下部屈曲部を備え、
かつ、台座本体には段差を設け、台座本体の反保持部側を一段低くしたことを特徴とするバンド取付部材。
【請求項４】
請求項１、２又は３記載のバンド取付部材を備えた時計バンド
【考案の詳細な説明】
【技術分野】
【０００１】
本考案は、時計バンドを時計ケースへ取り付けるために、時計バンドに埋め込んで用いられるバンド取付部材に関するものである。
【背景技術】
【０００２】
これまで、時計バンドを時計ケースへ取り付けるために、時計バンドに埋め込んで用いられるバンド取付部材としては、本願出願人による特許文献１がある。図３に特許文献１のバンド取付部材を示す。
【０００３】
この特許文献１のバンド取付部材は、時計バンド５９に埋め込まれる金属板５３のカール部５４ａ〜５４ｄに、ハンドル５１を有するばね棒５２が保持される。このハンドル５１を上に立ち上げる（起立する）と、ばね棒５２の他端５２ｂが端内に収縮没入して、時計バンド５９を時計ケース５０に取り付けることができ、また時計バンド５９を時計ケース５０から取り外すことができる。
【０００４】
そして、このハンドル５１を横に倒す（横倒する）と、ばね棒５２の他端５２ｂが端外に突出して、時計バンド５９の時計ケース６０に対する取付状態が維持される。
ばね棒５２の他端５２ｂの収縮没入や突出は、カール部５４ｃのハンドル５１と接する部分が傾斜面５６となっており、これによりハンドル５１が軸方向にスライドして、ばね棒５２の他端５２ｂを軸方向に収縮没入や突出させるものである。
【０００５】
【特許文献１】実用新案登録第３０４２３２１号公報
【考案の開示】
【考案が解決しようとする課題】
【０００６】
しかし、特許文献１には、次のような課題がある。
（１）時計バンド５９を時計ケース５０へ取り付けるために、ハンドル５１を横倒した場合に、ハンドル５１にクリック感がなく、ハンドル５１が充分に横倒されているか分かりづらい。
（２）金属板５３を時計バンド５９に埋め込んだ場合に、時計バンド５９の厚みがあるため、ハンドル５１を充分に横倒することができない。ハンドル５１を充分に横倒することができないと、ばね棒５２の他端５２ｂが充分に端外へ突出せず、時計バンド５９と時計ケース５０の取り付けに不具合が生じることになる。
【課題を解決するための手段】
【０００７】
そこで、上記課題を解決するために、第一の考案は、時計ケースに時計バンドを取り付けるためのバンド取付部材にあって、時計バンドのエンドピースに埋め込まれる台座本体と、時計バンドのエンドピースに設けられた窓孔から露出する略Ｕ字形に湾曲したハンドル部を有する棒ピンとを備え、台座本体には、棒ピンのハンドル部両始端から左右へ直線状に延びる支持軸を握持して、ハンドル部を回動可能に保持しながら、支持軸端部を突出させる左右一対の保持部を備え、少なくとも左右どちらか一方の保持部が、棒ピンのハンドル部と接する側辺を支持軸端部側へ傾斜させながら、当該側辺は、台座本体に対して起立するハンドル部を収縮状態で係止する上部屈曲部を備えるとともに、台座本体に対して横倒するハンドル部を伸長状態で係止する下部屈曲部を備えることを特徴とする。
ここで「エンドピース」とは、時計ケースに時計バンドを取り付ける接続部分であり、時計バンドの端部である。
【０００８】
第二の考案は、時計ケースに時計バンドを取り付けるためのバンド取付部材にあって、時計バンドのエンドピースに埋め込まれる台座本体と、時計バンドのエンドピースに設けられた窓孔から露出する略Ｕ字形に湾曲したハンドル部を有する棒ピンとを備え、台座本体には、棒ピンのハンドル部両始端から左右へ直線状に延びる支持軸を握持して、ハンドル部を回動可能に保持しながら、支持軸端部を突出させる左右一対の保持部を備え、少なくとも左右どちらか一方の保持部が、棒ピンのハンドル部と接する側辺を支持軸端部側へ傾斜させるとともに、台座本体に段差を設け、台座本体の反保持部側を一段低くしたことを特徴とする。
【０００９】
第三の考案は、時計ケースに時計バンドを取り付けるためのバンド取付部材にあって、時計バンドのエンドピースに埋め込まれる台座本体と、時計バンドのエンドピースに設けられた窓孔から露出する略Ｕ字形に湾曲したハンドル部を有する棒ピンとを備え、台座本体には、棒ピンのハンドル部両始端から左右へ直線状に延びる支持軸を握持して、ハンドル部を回動可能に保持しながら、支持軸端部を突出させる左右一対の保持部を備え、少なくとも左右どちらか一方の保持部が、棒ピンのハンドル部と接する側辺を支持軸端部側へ傾斜させながら、当該側辺は、台座本体に対して起立するハンドル部を収縮状態で係止する上部屈曲部を備えるとともに、台座本体に対して横倒するハンドル部を伸長状態で係止する下部屈曲部を備え、かつ、台座本体には段差を設け、台座本体の反保持部側を一段低くしたことを特徴とする。
【考案の効果】
【００１０】
本考案によれば、以下のような効果を有する。
（１）棒ピンのハンドル部と接する保持部の側辺を、支持軸端部側へ傾斜させることで、ハンドル部が回動した場合に、ハンドル部に収縮状態と伸長状態を生じさせ、これにより支持軸端部を軸方向にスライドさせるものである。このとき、当該側辺は上部屈曲部を備えるために、台座本体に対して起立するハンドル部を収縮状態で係止することができる。本考案ではさらに、当該側辺が下部屈曲部を備えることで、台座本体に対して横倒するハンドル部を伸長状態で係止することができる。この側縁の下部屈曲部による係止によって、ハンドル部にクリック感が生じ、ハンドル部が充分に横倒されているか容易に判別できるようになる。
（２）台座本体に段差を設け、台座本体の反保持部側を一段低くしたことで、台座本体を時計バンドのエンドピースに埋め込んだ場合でも、時計バンドの厚みを吸収し、ハンドル部を浮かせずに充分に横倒することができる。ハンドル部を充分に横倒することができることで、支持軸端部が充分に外側へ突出し、時計バンドと時計ケースの取り付けを確実なものとする。
【考案を実施するための最良の形態】
【００１１】
本考案の実施形態を図面に基づいて説明する。
図１は、本考案のバンド取付部材を示す説明図であり、（Ａ）は、ハンドル部を台座本体に対して起立させた状態、（Ｂ）は、ハンドル部を台座本体に対して横倒させた状態を示す。
バンド取付部材１０は、台座本体２０と棒ピン３０とを備える。この台座本体２０は、時計バンドのエンドピースに埋め込まれるものであり、棒ピン３０は、時計バンドのエンドピースに設けられた窓孔から露出する略Ｕ字形に湾曲したハンドル部３１を有するものである。なお、棒ピンはバネ棒であることが好ましいが、これに限るものではない。
【００１２】
台座本体２０には、棒ピン３０のハンドル部３１両始端３２，３５から左右へ直線状に延びる支持軸３３，３６を握持して、ハンドル部３１を回動可能に保持しながら、支持軸端部３４，３７を突出させる左右一対の保持部２１，２３を備える。
そして、一方の保持部２３が、棒ピン３０のハンドル部３１と接する側辺２４を支持軸端部３７側へ傾斜させている。この側辺２４は、図１（Ａ）に示すように、台座本体２０に対して起立するハンドル部３１を収縮状態で係止する上部屈曲部２５を備える。
【００１３】
また、この側辺２４は、図１（Ｂ）に示すように、台座本体２０に対して横倒するハンドル部３１を伸長状態で係止する下部屈曲部２６を備える。側辺２４に設けられたこの下部屈曲部２６によって、ハンドル部３１は横倒した際にクリック感が生じ、ハンドル部３１が充分に横倒されているか容易に判別できるようになった。
【００１４】
図１（Ａ）に示す台座本体２０に対して起立するハンドル部３１は、側辺２４に設けられた上部屈曲部２５によって収縮状態で係止されている。従って、側辺２４側にある棒ピン３０の支持軸３６は、もう一方の支持軸３３側へスライドし、支持軸端部３７を保持部２３へ引っ込める。
【００１５】
一方、図１（Ｂ）に示す台座本体２０に対して横倒するハンドル部３１は、側辺２４に設けられた下部屈曲部２６によって伸長状態で係止されている。従って、側辺２４側にある棒ピン３０の支持軸３６は、もう一方の支持軸３３と反対側へスライドし、支持軸端部３７を保持部２３から突出させる。
【００１６】
なお、ハンドル部３１と接するもう一方の保持部２１の側辺２２には、とくに傾斜を設けていない。従って、ハンドル部３１を回動させても保持部２１側の支持軸３３は軸方向にスライドすることなく、支持軸端部３４を一定の長さで保持部２１から突出させている。
【００１７】
図２は、バンド取付部材１０を備えた時計バンド１の時計ケース６への取り付け方法を示した説明図であり、（Ａ）は取付け前及び取外し後の状態、（Ｂ）は取付け中の状態を示す。
時計バンド１のエンドピース２に埋め込まれたバンド取付部材１０は、ハンドル部３１をエンドピース２に設けられた窓孔３から露出する。
また、時計ケース６には、時計バンド１のエンドピース２の嵌合する凹部７が形成されており、その凹部の両サイドには棒ピン３０の両支持軸端部３４，３７を差し込む差込穴８，９を備えている。
【００１８】
図２（Ａ）に示すように、まず時計バンド１を時計ケース６へ取り付けるためには、窓穴３から露出するハンドル部３１を台座本体２０に対して起立させる。こうすることで、一方の支持軸端部３７を保持部２３へ引っ込める。そして、保持部２１から突出しているもう一方の支持軸端部３４を、時計ケース６の差込穴８に差し込むことで時計バンド１のエンドピース２を時計ケース６の凹部７へ嵌合させ、時計バンド１を時計ケース６へ取り付けることが可能となる。
【００１９】
次に、図２（Ｂ）に示すように、起立させてあるハンドル部３１を台座本体２０に対して横倒させる。これにより、保持部２３へ引っ込めてある支持軸端部３７を保持部２３から突出させて、時計ケース６のもう一方の差込穴９に支持軸端部３７を差し込むことができる。バンド取付部材１０の支持軸端部３４，３７がともに時計ケース６の差込穴８，９に差し込まれているので、時計バンド１が時計ケース６へ確実に取り付けられている。
【００２０】
また、時計バンド１から時計ケース６を取り外すためには、図２（Ａ）に示すように、ハンドル部３１を台座本体２０に対して起立させる。これにより、一方の支持軸端部３７が保持部２３へ引っ込み、時計ケース６の差込穴９から外れる。そして、時計バンド１のエンドピース２と時計ケース６の凹部７との嵌合が解かれ、時計バンド１を時計ケース６から取り外すことが可能となる。
【００２１】
図２に示すように、バンド取付部材１０は、時計バンド１のエンドピース２に埋め込まれる。この時、台座本体２０には段差２７を設け、台座本体２０の反保持部側２８を一段低くしたことで、この反保持部側２８が時計バンド１の厚み分を吸収する。このため、ハンドル部３１が時計バンド１によって浮かずに充分に横倒することができる。すなわち、ハンドル部３１が台座本体２０の反保持部側２８より一段高くなり、その隙間に時計バンド１の厚みが入るので、ハンドル３１が浮かずに確実に横倒することができる。
【００２２】
本実施形態のバンド取付部材１０では、ハンドル部３１と接するもう一方の保持部２１の側辺２２には、とくに傾斜を設けていないが、この側辺２２にも傾斜を設けて、側辺２２，２４がともに傾斜を設けるものであってもよい。
【産業上の利用可能性】
【００２３】
本考案は、主に皮革製の時計バンドを時計ケースに取り付けるために用いられるバンド取付部材であるが、皮革製時計バンドに限られることなく、樹脂製・金属製など用いることが可能な限りその他全ての時計バンドに使用できるものである。
【図面の簡単な説明】
【００２４】
【図１】本考案のバンド取付部材を示す説明図であり、（Ａ）は、ハンドル部を台座本体に対して起立させた状態、（Ｂ）は、ハンドル部を台座本体に対して横倒させた状態を示す。
【図２】バンド取付部材を備えた時計バンドの時計ケースへの取り付け方法を示した説明図であり、（Ａ）は取付け前及び取外し後の状態、（Ｂ）は取付け中の状態を示す。
【図３】特許文献１のバンド取付部材を示す説明図。
【符号の説明】
【００２５】
１０  バンド取付部材
２０  台座本体      ２１，２３  保持部
２２，２４  側辺    ２５  上部屈曲部
２６  下部屈曲部    ２７  段差
２８  反保持部側
３０  棒ピン        ３１  ハンドル部
３２，３５  始端    ３３，３６  支持軸
３４，３７  支持軸端部
【図１】
0003101592.tif 000003
【図２】
0003101592.tif 000004
【図３】
0003101592.tif 000005